(57)【要約】【課題】選択系の受信機の復調出力による信号が乱れた場合でも、正常な予備系への切り替えをシームレスに行い、たとえば放送装置や中継装置での動作破綻を確実に防止すること。【解決手段】保持メモリ１１−１−１及び１１−１−２により選択系と予備系の受信機で復調されたＴＳデータが保持され、ＰＬＬＶＣＯ１１−１−４によりデジタル放送信号に含まれるＣＬＫ信号とは非同期の基準信号を発生するＲｂ（ルビジウム）発振器１６からの基準信号を基に、保持メモリ１１−１−１及び１１−１−２のＴＳデータの残量が正常なＣＬＫ信号に基づいたときのＴＳデータの残量と合わせるための同期信号が発振され、その同期信号に基づいて保持メモリ１１−１−１及び１１−１−２の読み出しが行われるとともに、その読み出されたＴＳデータと同期信号とがたとえば放送装置１４や中継装置１５に伝送されるようにした。【選択図】図２
2010093595.tif 000002
【特許請求の範囲】
【請求項１】
デジタル放送信号を、少なくとも選択系と予備系の２系統の受信機で受信し、選択系に異常があれば予備系に切り替えて前記受信したデジタル放送信号を伝送する信号伝送装置であって、
前記デジタル放送信号に含まれるＣＬＫ信号とは非同期の基準信号を発生する基準信号発生手段と、
前記選択系の受信機で復調されたＴＳデータを保持する第１保持手段と、
前記予備系の受信機で復調されたＴＳデータを保持する第２保持手段と、
前記基準信号発生手段からの基準信号を基に、前記第１保持手段及び第２保持手段の前記ＴＳデータの残量を正常な前記ＣＬＫ信号に基づいたときの前記ＴＳデータの残量と合わせるための同期信号を発振する信号発振手段とを有し、
前記同期信号に基づいて第１保持手段及び第２保持手段からのＴＳデータの読み出しが行われるとともに、その読み出されたＴＳデータと前記同期信号とが伝送される
ことを特徴とする信号伝送装置。
【発明の詳細な説明】
【技術分野】
【０００１】
本発明は、放送局（演奏所）、又は送信所から送信所に送られるデジタル放送信号を伝送する信号伝送装置に関し、特に、デジタル放送信号を、たとえば予備の目的で設けられた２系統の受信機で受信し、各系統の受信機の出力信号のうちの１系統をシームレスに切替選択するデジタルデータ切替技術を用いた信号伝送装置に関する。
【背景技術】
【０００２】
従来より、放送局（演奏所）、又は送信所から送信所に送られるデジタル放送信号を、予備の目的で設けられた２系統以上の受信機で受信し、各系統の受信機の出力信号のうちの１系統をシームレスに切替選択する切替器を備えた信号伝送装置が知られている。
【０００３】
このような信号伝送装置が適用されるデジタルデータ送受信装置での従来の技術を、図５のブロック図を用いて説明する。すなわち、デジタルデータ送受信装置は、たとえば放送局（演奏所）側のデータ送信装置と送信所側の信号伝送装置とで構成される。
【０００４】
データ送信装置側では、Ｒｂ（ルビジウム）発振器３からの周波数に基づいた信号源１からの演奏所等で製作された放送ＴＳ（Ｔｒａｎｓｐｏｒｔ  Ｓｔｒｅａｍ）データが分配器２で放送ＴＳ（Ｔｒａｎｓｐｏｒｔ  Ｓｔｒｅａｍ）データ５−１，５−２に分配され、変調器６−１，６−２に入力される。
【０００５】
変調器６−１，６−２で変調された放送ＴＳ（Ｔｒａｎｓｐｏｒｔ  Ｓｔｒｅａｍ）データ５−１，５−２は、送信変換器７−１，７−２に入力され、周波数変換（アップコンバート）されて送信される。
【０００６】
信号伝送装置側では、受信した信号が受信変換器８−１，８−２で周波数変換（ダウンコンバート）され、復調器９−１，９−２による復調により放送ＴＳデータが得られる。ここで、受信変換器８−１と復調器９−１とで受信機（１号機）が構成され、受信変換器８−２と復調器９−２とで受信機（２号機）が構成される。
【０００７】
復調器９−１，９−２の出力のＴＳデータ９−３，９−４と１号ＣＬＫ信号９−５及び２号ＣＬＫ信号９−６は切替器１１の切替部１１−１で切り替えられた後、分配部１１−２により分配信号１３−１，１３−２に分配されて放送装置１４と中継装置１５とに送出される。
【０００８】
このとき、切替器１１の制御部１１−３により、各系統の状態が監視され、選択系に異常があれば予備系に切り替えるための切替制御が行われる。なお、図示されていないが、外部制御装置の制御信号１２を通じ、切替部１１−１を制御監視することも可能である。
【０００９】
次に、切替部１１−１の詳細を、図６のブロック図を用いて説明する。すなわち、切替部１１−１に入力された１号ＣＬＫ信号９−５又は２号ＣＬＫ信号９−６（復調器９−１，９−２のＣＬＫ出力）は異常検知切替制御部１１−１−３で異常があるかどうかの検知が行われ、選択系の１号ＣＬＫ信号９−５に異常があれば予備系に切り替えられて、ＰＬＬ（Ｐｈａｓｅ  Ｌｏｃｋｅｄ  Ｌｏｏｐ）回路のＰＬＬＶＣＯ（Ｖｏｌｔａｇｅ  Ｃｏｎｔｒｏｌｌｅｄ  Ｏｓｃｉｌｌａｔｏｒ）１１−１−４に出力される。そして、ＰＬＬＶＣＯ１１−１−４で生成されたＣＬＫ信号が保持メモリ１１−１−１、１１−１−２のデータリードのＣＬＫ信号となる。
【００１０】
次に、異常検知切替制御部１１−１−３、ＰＬＬＶＣＯ１１−１−４の構成及び動作を、図７のブロック図及び図８及び図９のタイムチャートを用いて説明する。まず、図７に示すように、１号ＣＬＫ信号９−５（復調器９−１のＣＬＫ出力）又は２号ＣＬＫ信号９−６（復調器９−２のＣＬＫ出力）は分周器（１／２５６）１１−１−３ａ，１１−１−３ｂで１／２５６に分周され、パルス１１−１−３−１，１１−１−３−２として出力されると、切替スイッチ１１−１−３ｄを介してＰＬＬＶＣＯ１１−１−４に出力される。
【００１１】
ここで、異常検知部１１−１−３ｃにより１号ＣＬＫ信号９−５又は２号ＣＬＫ信号９−６のいずれかに異常があることが検知されて切替信号１１−３−１が出力されると、切替スイッチ１１−１−３ｄが切り替えられる。つまり、選択系から予備系に切り替えられる。
【００１２】
そして、ＰＬＬＶＣＯ１１−１−４では、切替スイッチ１１−１−３ｄの出力であるパルス１１−１−４−１を参照信号とし、位相比較部１１−１−４ａ、ＬＰＦ１１−１−４ｂ、ＶＣＯ１１−１−４ｃ、分周器（１／４）１１−１−４ｄ、分周器（１／２５６）１１−１−４ｅからなるＰＬＬ（Ｐｈａｓｅ  Ｌｏｃｋｅｄ  Ｌｏｏｐ）を構成する。なお、ＶＣＯ１１−１−４ｃからはＯＳＣ（Ｏｓｃｉｌｌａｔｏｒ）ＣＬＫ信号１１−１−４−３が出力され、分周器（１／２５６）１１−１−４ｅからはパルス１１−１−４−２が出力される。
【００１３】
ここで、図８に示すように、切替部１１−１に入力された１号ＣＬＫ信号９−５又は２号ＣＬＫ信号９−６（復調器９−１，９−２のＣＬＫ出力）が共に正常なときは、切替信号１１−３−１により選択系から予備系に切り替えられても、パルス１１−１−３−１がパルス１１−１−３−２に切り替わることで、図７に示したパルス１１−１−４−１がＰＬＬＶＣＯ１１−１−４に与えられることになり、ＰＬＬＶＣＯ１１−１−４では正常なＯＳＣ（Ｏｓｃｉｌｌａｔｏｒ）ＣＬＫ信号１１−１−４−３が得られる。
【００１４】
一方、図９に示すように、切替部１１−１に入力された１号ＣＬＫ信号９−５にたとえば途切れ異常が発生した場合、切替信号１１−３−１により選択系から予備系に切り替えられると、パルス１１−１−３−１からパルス１１−１−３−２に切り替わることで、パルスが欠落したパルス１１−１−４−１がＰＬＬＶＣＯ１１−１−４に与えられることになり、ＰＬＬＶＣＯ１１−１−４の出力のＯＳＣ（Ｏｓｃｉｌｌａｔｏｒ）ＣＬＫ信号１１−１−４−３が不安定になる。
【００１５】
このように、ＯＳＣ（Ｏｓｃｉｌｌａｔｏｒ）ＣＬＫ信号１１−１−４−３が不安定になることで、放送装置１４、中継装置１５に出力するＣＬＫ信号が不安定になり、その結果、放送装置１４、中継装置１５の動作が破綻し、放送事故を引き起こす場合があるから、予備系への切り替えがシームレスにできなくなる。
【００１６】
ここで、予備系への切り替えを行うものとして、特許文献１では、受信した同一の信号を２系統以上に分配し、各々復調して得られた複数のデータストリームの１系統を選択出力するデジタルデータ受信装置において、入力されるデータストリームを各々の系統のクロックで記憶する記憶部と、記憶されたデータストリームを同時に読み出すデータ読出し制御部と、読み出されたデータストリームの１系統を選択出力する選択部と、選択されたデータストリームと対で出力されるクロックを生成するクロック制御部とから構成され、データ読出し制御部は、切り替えを行う系統間のデータストリームの位相差を検出し、該位相差状態に応じ、選択部の切替モードを制御し、当該切替モードを表す信号を出力するようにしたデジタルデータ受信装置を提案している。
【００１７】
【特許文献１】特開２００７−１１６２２４号公報
【発明の開示】
【発明が解決しようとする課題】
【００１８】
上述した特許文献１では、１号フレーム信号と２号フレーム信号間の位相が一致していないときに１号フレーム信号と２号フレーム信号の切り替えを行った場合、画像、音声が途切れることを未然に警告し、切替禁止とするか、あるいはＴＳデータだけ切り替えをし、フレーム信号は切り替えしないことで画像、音声がシームレスに切り替えられるようになっている。
【００１９】
ところが、このような切替方法では、１号フレーム信号と２号フレーム信号間の位相が一致していないとき、１号、２号の切り替えに有効となるものと考えられるが、上述した図９で説明したように、選択系側のＣＬＫ信号にたとえば途切れ異常が発生した場合に対する対策が施されていないため、放送装置１４及び中継装置１５に出力されるＣＬＫ信号が不安定になり、その結果、放送装置１４及び中継装置１５の動作が破綻し、放送事故を引き起こす場合があるから、予備系への切り替えがシームレスにできないという問題があった。
【００２０】
本発明は、このような状況に鑑みてなされたものであり、上記問題点を解決することができる信号伝送装置を提供することを目的とする。
【課題を解決するための手段】
【００２１】
本発明の信号伝送装置は、デジタル放送信号を、少なくとも選択系と予備系の２系統の受信機で受信し、選択系に異常があれば予備系に切り替えて前記受信したデジタル放送信号を伝送する信号伝送装置であって、前記デジタル放送信号に含まれるＣＬＫ信号とは非同期の基準信号を発生する基準信号発生手段と、前記選択系の受信機で復調されたＴＳデータを保持する第１保持手段と、前記予備系の受信機で復調されたＴＳデータを保持する第２保持手段と、前記基準信号発生手段からの基準信号を基に、前記第１保持手段及び第２保持手段の前記ＴＳデータの残量を正常な前記ＣＬＫ信号に基づいたときの前記ＴＳデータの残量と合わせるための同期信号を発振する信号発振手段とを有し、前記同期信号に基づいて第１保持手段及び第２保持手段からのＴＳデータの読み出しが行われるとともに、その読み出されたＴＳデータと前記同期信号とが伝送されることを特徴とする。
本発明の信号伝送装置では、第１保持手段及び第２保持手段により選択系と予備系の受信機で復調されたＴＳデータが保持され、信号発振手段によりデジタル放送信号に含まれるＣＬＫ信号とは非同期の基準信号を発生する基準信号発生手段からの基準信号を基に、第１保持手段及び第２保持手段のＴＳデータの残量が正常なＣＬＫ信号に基づいたときのＴＳデータの残量と合わせるための同期信号が発振され、その同期信号に基づいて第１保持手段及び第２保持手段からのＴＳデータの読み出しが行われるとともに、その読み出されたＴＳデータと同期信号とがたとえば放送装置や中継装置に伝送される。
【発明の効果】
【００２２】
本発明の信号伝送装置によれば、第１保持手段及び第２保持手段により選択系と予備系の受信機で復調されたＴＳデータが保持され、信号発振手段によりデジタル放送信号に含まれるＣＬＫ信号とは非同期の基準信号を発生する基準信号発生手段からの基準信号を基に、第１保持手段及び第２保持手段のＴＳデータの残量が正常なＣＬＫ信号に基づいたときのＴＳデータの残量と合わせるための同期信号が発振され、その同期信号に基づいて第１保持手段及び第２保持手段からのＴＳデータの読み出しが行われるとともに、その読み出されたＴＳデータと同期信号とがたとえば放送装置や中継装置に伝送されるようにしたので、選択系に異常が発生し、選択系の受信機の復調出力による信号が乱れた場合でも、正常な予備系への切り替えをシームレスに行うことができ、たとえば放送装置や中継装置での動作破綻を確実に防止することができる。
【発明を実施するための最良の形態】
【００２３】
以下、本発明の実施形態の詳細について説明する。図１は、本発明の一実施形態に係る信号伝送装置が適用されるデジタルデータ送受信装置を示すブロック図であり、図２は図１の信号伝送装置の切替部の詳細を示すブロック図であり、図３は図２の切替部の位相調整部とＰＬＬＶＣＯの詳細を示すブロック図である。なお、以下に説明する図において、図５〜図７と共通する部分には同一符号を付し、重複する説明は適宜行うものとする。
【００２４】
まず、図１に示すように、デジタルデータ送受信装置は、たとえば放送局（演奏所）側のデータ送信装置と送信所側の信号伝送装置とで構成される。
【００２５】
データ送信装置側には、上述したように、信号源１、分配器２、Ｒｂ（ルビジウム）発振器３、変調器６−１，６−２、送信変換器７−１，７−２が設けられている。
【００２６】
そして、上述したように、Ｒｂ（ルビジウム）発振器３からの周波数に基づいた信号源１からの演奏所等で製作された放送ＴＳ（Ｔｒａｎｓｐｏｒｔ  Ｓｔｒｅａｍ）データ５−１，５−２は分配器２で分配され、変調器６−１，６−２に入力される。変調器６−１，６−２で変調された信号は、送信変換器７−１，７−２で周波数変換（アップコンバート）されて送信される。
【００２７】
信号伝送装置側には、上述したように、受信変換器８−１，８−２、復調器９−１，９−２、切替器２１が設けられている。なお、受信変換器８−１，８−２は、図１に示してあるが、図２では図示を省略している。ここで、上述したように、受信変換器８−１と復調器９−１とで受信機（１号機）が構成され、受信変換器８−２と復調器９−２とで受信機（２号機）が構成される。つまり、受信機（１号機）と受信機（２号機）とで２系統による受信が行われることになる。
【００２８】
なお、本実施形態では、基準信号源としてＲｂ（ルビジウム）発振器１６が追加されているとともに、切替部２１−１の構成が後述のように変更されている。また、このＲｂ（ルビジウム）発振器１６は、演奏所側のＲｂ（ルビジウム）発振器３とは非同期となっている。また、このＲｂ（ルビジウム）発振器１６からの信号は、選択系の正常又は異常に関わらず、常に切替部２１−１での動作に必要な基準信号として用いられるようになっているが、その詳細については後述する。
【００２９】
そして、信号伝送装置側では、上述したように、受信した信号が受信変換器８−１，８−２で周波数変換（ダウンコンバート）され、復調器９−１，９−２により復調されてＴＳデータとされる。ここで、復調器９−１，９−２の出力のＴＳデータ９−３，９−４と１号ＣＬＫ信号９−５及び２号ＣＬＫ信号９−６は切替器１１の切替部２１−１で切り替えられた後、分配部１１−２により分配信号１３−１，１３−２に分配されて放送装置１４と中継装置１５に送出される。
【００３０】
このとき、切替器２１の制御部１１−３では各系統の状態を監視し、選択系に異常があれば予備系に切替制御する。なお、制御部１１−３は、図１に示してあるが、図２及び図３では図示を省略している。また、図示されていないが、外部制御装置の制御信号１２により、切替部２１−１を制御監視することも可能である。
【００３１】
切替部２１−１は、図２に示すように、異常検知切替制御部１１−１−３、保持メモリ１１−１−１，１１−１−２、位相調整部２１−１−１、ＰＬＬ（Ｐｈａｓｅ  Ｌｏｃｋｅｄ  Ｌｏｏｐ）回路のＰＬＬＶＣＯ（Ｖｏｌｔａｇｅ  Ｃｏｎｔｒｏｌｌｅｄ  Ｏｓｃｉｌｌａｔｏｒ）１１−１−４、選択部１１−１−５を有している。
【００３２】
異常検知切替制御部１１−１−３は、１号ＣＬＫ信号９−５又は２号ＣＬＫ信号９−６の異常を検知すると、正常な１号ＣＬＫ信号９−５又は２号ＣＬＫ信号９−６に切り替えて位相調整部２１−１−１に出力する。保持メモリ１１−１−１，１１−１−２は、復調器９−１，９−２からの放送ＴＳデータとＣＬＫ信号とを保持する。
【００３３】
位相調整部２１−１−１は、保持メモリ１１−１−１，１１−１−２のデータ残量に応じて、Ｒｂ（ルビジウム）発振器１６から受け取る基準信号の位相を前後に移相する。すなわち、位相調整部２１−１−１は、図３に示すように、系選択部２１−１−１−１、メモリデータ残量判定・ＣＬＫ位相制御部２１−１−１−２、分周器２１−１−１ａ、遅延加減器２１−１−１ｂを有している。
【００３４】
系統選択部２１−１−１−１は、いずれかの保持メモリ１１−１−１，１１−１−２のＴＳデータを取り込むように保持メモリ１１−１−１，１１−１−２の系を選択する。メモリデータ残量判定・ＣＬＫ位相制御部２１−１−１−２は、保持メモリ１１−１−１，１１−１−２のメモリデータ残量の増減を監視する。
【００３５】
分周器２１−１−１ａは、Ｒｂ（ルビジウム）発振器１６からの基準信号をたとえば１／２５６〜１／２５７の範囲で分周する。これにより、ＰＬＬＶＣＯ１１−１−４の周波数が上げられたり下げられたりする。具体的には、ＰＬＬＶＣＯ１１−１−４の周波数を上げる場合、分周数を減らすようにする（一例として２５６を２５５に）。また、ＰＬＬＶＣＯ１１−１−４の周波数を下げる場合、分周数を増すようにする（一例として２５６を２５７に）。
【００３６】
遅延加減器２１−１−１ｂは、保持メモリ１１−１−１，１１−１−２のデータ残量に応じて、Ｒｂ（ルビジウム）発振器１６から受け取る基準信号の位相を前又は後に移相し、その移相したパルス１１−１−４−１ａをＰＬＬＶＣＯ１１−１−４に出力する。すなわち、保持メモリ１１−１−１，１１−１−２のデータ残量が多くなればＲｂ（ルビジウム）発振器１６から受け取る基準信号の位相を前に移相し、保持メモリ１１−１−１，１１−１−２のデータ残量が少なくなればＲｂ（ルビジウム）発振器１６から受け取る基準信号の位相を後ろに移相する。
【００３７】
ここで、分周器２１−１−１ａによるＲｂ（ルビジウム）発振器１６からの基準信号の分周と、遅延加減器２１−１−１ｂによる位相の前後への移相とにより、保持メモリ１１−１−１，１１−１−２のデータ残量が一定となるように、ＰＬＬＶＣＯ１１−１−４が制御される。
【００３８】
これにより、後述のＶＣＯ１１−１−４ｃからのＯＳＣ（Ｏｓｃｉｌｌａｔｏｒ）ＣＬＫ信号１１−１−４−３ａが選択系の復調器９−１の復調出力のＣＬＫ信号又は予備系の復調器９−２の復調出力のＣＬＫ信号と同期がとられた同期信号とされる。なお、この同期信号であるＯＳＣ（Ｏｓｃｉｌｌａｔｏｒ）ＣＬＫ信号１１−１−４−３ａは、保持メモリ１１−１−１，１１−１−２のＴＳデータの読み出しのＣＬＫ信号とされるとともに、その読み出されたＴＳデータとＯＳＣ（Ｏｓｃｉｌｌａｔｏｒ）ＣＬＫ信号１１−１−４−３ａとが後段の放送装置１４及び中継装置１５に伝送されるようになっている。
【００３９】
また、図２に示すＰＬＬＶＣＯ１１−１−４は、位相調整部２１−１−１からの基準信号を参照信号とし、図３に示すように、位相比較部１１−１−４ａ、ＬＰＦ１１−１−４ｂ、ＶＣＯ１１−１−４ｃ、分周器（１／４）１１−１−４ｄ、分周器（１／２５６）１１−１−４ｅからなるＰＬＬ（Ｐｈａｓｅ  Ｌｏｃｋｅｄ  Ｌｏｏｐ）を構成する。また、図２に示す選択部１１−１−５は、保持メモリ１１−１−１，１１−１−２に保持されているＴＳデータを選択して取り込む。
【００４０】
次に、このような信号伝送装置の動作を、図４のタイムチャート等を用いて説明する。まず、信号伝送装置側では、データ送信装置側からの信号が受信されると、その信号が受信変換器８−１，８−２で周波数変換（ダウンコンバート）され、復調器９−１，９−２により復調されてＴＳデータとされる。
【００４１】
ここで、図２に示したように、復調器９−１，９−２の出力のＴＳデータ９−３，９−４と１号ＣＬＫ信号９−５及び２号ＣＬＫ信号９−６は保持メモリ１１−１−１，１１−１−２に保持される。そして、選択系に異常が無ければ保持メモリ１１−１−１が切替部２１−１の選択部１１−１−５により選択され、その保持メモリ１１−１−１のＴＳデータが読み出されることになるが、図４のように、選択系に異常が生じると、切替部２１−１の選択部１１−１−５により予備系の保持メモリ１１−１−２が選択され、その保持メモリ１１−１−２のＴＳデータが読み出されることになる。また、保持メモリ１１−１−１又は保持メモリ１１−１−２から読み出されたＴＳデータは、分配部１１−２により分配信号１３−１，１３−２に分配されて放送装置１４と中継装置１５に送出される。
【００４２】
このとき、図３に示したように、位相調整部２１−１−１のメモリデータ残量判定・ＣＬＫ位相制御部２１−１−１−２により保持メモリ１１−１−１，１１−１−２のデータ残量の増減が監視される。
【００４３】
そして、メモリデータ残量判定・ＣＬＫ位相制御部２１−１−１−２の制御を受ける分周器２１−１−１ａにより、上述したように、Ｒｂ（ルビジウム）発振器１６からの基準信号がたとえば１／２５６〜１／２５７の範囲で分周される。これにより、上述したように、ＰＬＬＶＣＯ１１−１−４の周波数が上げられたり下げられたりする。
【００４４】
また、メモリデータ残量判定・ＣＬＫ位相制御部２１−１−１−２の制御を受ける遅延加減器２１−１−１ｂにより、上述したように、保持メモリ１１−１−１，１１−１−２のデータ残量に応じて、分周器２１−１−１ａによって調整されたＲｂ（ルビジウム）発振器１６からの基準信号の位相が前又は後に移相され、その移相された図４に示すパルス１１−１−４−１ａがＰＬＬＶＣＯ１１−１−４に出力される。
【００４５】
これにより、上述したように、分周器２１−１−１ａによるＲｂ（ルビジウム）発振器１６からの基準信号の分周と、遅延加減器２１−１−１ｂによる位相の前後への移相とにより、保持メモリ１１−１−１，１１−１−２のデータ残量が一定となるように、ＰＬＬＶＣＯ１１−１−４が制御される。
【００４６】
そして、ＰＬＬＶＣＯ１１−１−４のＶＣＯ１１−１−４ｃからの図４に示すＯＳＣ（Ｏｓｃｉｌｌａｔｏｒ）ＣＬＫ信号１１−１−４−３ａが選択系の復調器９−１の復調出力のＣＬＫ信号又は予備系の復調器９−２の復調出力のＣＬＫ信号と同期がとられた同期信号とされ、保持メモリ１１−１−１、１１−１−２のデータリードのＣＬＫ信号とされる。
【００４７】
すなわち、ＰＬＬＶＣＯ１１−１−４で生成された保持メモリ１１−１−１、１１−１−２のデータリードとなるＣＬＫ信号は、通常、復調器９−１又は９−２の正常な出力の１号ＣＬＫ信号９−５又は２号ＣＬＫ信号９−６に基づいて生成されるものであるが、本実施形態では、復調器９−１又は９−２の正常な出力の１号ＣＬＫ信号９−５又は２号ＣＬＫ信号９−６に基づいて生成されたＣＬＫ信号によるデータリード時での保持メモリ１１−１−１，１１−１−２のデータ残量に合うようにＰＬＬＶＣＯ１１−１−４を制御している。これにより、ＰＬＬＶＣＯ１１−１−４のＶＣＯ１１−１−４ｃからのＯＳＣＣＬＫ信号１１−１−４−３ａが選択系の復調器９−１の復調出力のＣＬＫ信号又は予備系の復調器９−２の復調出力のＣＬＫ信号と同期がとられた同期信号とされることになる。
【００４８】
また、保持メモリ１１−１−１，１１−１−２から読み出されたＴＳデータとＯＳＣ（Ｏｓｃｉｌｌａｔｏｒ）ＣＬＫ信号１１−１−４−３ａとが後段の放送装置１４及び中継装置１５に伝送される。
【００４９】
以上のことから、図９のように、切替部２１−１に入力された１号ＣＬＫ信号９−５にたとえば途切れ異常が発生した場合であっても、保持メモリ１１−１−２からのＴＳデータの読み出しが選択系の復調器９−１の復調出力のＣＬＫ信号又は予備系の復調器９−２の復調出力のＣＬＫ信号と同期がとられた同期信号に基づいて行われるため、１号ＣＬＫ信号９−５の途切れによる影響を全く受けないことになり、切替器１１で正常な予備系にシームレスに切り替えすることが可能となる。
【００５０】
このように、本実施形態では、第１保持手段である保持メモリ１１−１−１及び第２保持手段である保持メモリ１１−１−２により選択系と予備系の受信機で復調されたＴＳデータが保持され、信号発振手段であるＰＬＬＶＣＯ１１−１−４によりデジタル放送信号に含まれるＣＬＫ信号とは非同期の基準信号を発生する基準信号発生手段であるＲｂ（ルビジウム）発振器１６からの基準信号を基に、保持メモリ１１−１−１及び保持メモリ１１−１−２のＴＳデータの残量が正常なＣＬＫ信号に基づいたときのＴＳデータの残量と合わせるための同期信号が発振され、その同期信号に基づいて保持メモリ１１−１−１及び保持メモリ１１−１−２の読み出しが行われるとともに、その読み出されたＴＳデータと同期信号とがたとえば放送装置１４や中継装置１５に伝送されるようにしたので、選択系に異常が発生し、選択系の受信機の復調出力による信号が乱れた場合でも、正常な予備系への切り替えをシームレスに行うことができ、たとえば放送装置１４や中継装置１５での動作破綻を確実に防止することができる。
【００５１】
なお、本実施形態では、演奏所側のＲｂ（ルビジウム）発振器３とは非同期となっているＲｂ（ルビジウム）発振器１６からの信号を、選択系の正常又は異常に関わらず、常に切替部２１−１での動作に必要な基準信号として用いるようにした場合として説明したが、この例に限らず、選択系に異常に発生した時点で、Ｒｂ（ルビジウム）発振器１６からの信号を基準信号として用いるように切り替えてもよい。
【００５２】
また、本実施形態では、演奏所側のＲｂ（ルビジウム）発振器３とは非同期となっているＲｂ（ルビジウム）発振器１６からの信号を、選択系の正常又は異常に関わらず、常に切替部２１−１での動作に必要な基準信号として用いるようにした場合として説明したが、この例に限らず、Ｒｂ（ルビジウム）発振器１６に異常が生じた場合は、選択系の正常な１号ＣＬＫ信号９−５又は予備系の正常な２号ＣＬＫ信号９−６を用いるように切り替えてもよい。
【図面の簡単な説明】
【００５３】
【図１】本発明の一実施形態に係る信号伝送装置が適用されるデジタルデータ送受信装置を示すブロック図である。
【図２】図１の信号伝送装置の切替部の詳細を示すブロック図である。
【図３】図２の切替部の位相調整部とＰＬＬＶＣＯの詳細を示すブロック図である。
【図４】図１の信号伝送装置の動作を説明するためのタイムチャートである。
【図５】従来の信号伝送装置が適用されるデジタルデータ送受信装置の一例を示すブロック図である。
【図６】図５の切替部の詳細を示すブロック図である。
【図７】図６の異常検知切替制御部及びＰＬＬＶＣＯの構成を示すブロック図である。
【図８】図６の異常検知切替制御部及びＰＬＬＶＣＯの動作を説明するためのタイムチャートである。
【図９】図６の異常検知切替制御部及びＰＬＬＶＣＯの動作を説明するためのタイムチャートである。
【符号の説明】
【００５４】
１  信号源
２  分配器
３  Ｒｂ（ルビジウム）発振器
６−１，６−２  変調器
７−１、７−２  送信変換器
８−１，８−２  受信変換器
９−１，９−２  復調器
１１−１−１，１１−１−２  保持メモリ
１１−３  制御部
１１−１−３  異常検知切替制御部
１１−１−５  選択部
１４  放送装置
１５  中継装置
１６  Ｒｂ（ルビジウム）発振器
２１  切替器
２１−１  切替部
２１−１−１−２  メモリデータ残量判定・ＣＬＫ位相制御部
２１−１−１  位相調整部
【図１】
2010093595.tif 000003
【図２】
2010093595.tif 000004
【図３】
2010093595.tif 000005
【図４】
2010093595.tif 000006
【図５】
2010093595.tif 000007
【図６】
2010093595.tif 000008
【図７】
2010093595.tif 000009
【図８】
2010093595.tif 000010
【図９】
2010093595.tif 000011